(57)【要約】　　　（修正有）【目的】磁気ペンで書き込まれた不要となった内容や印を消去し、更に繰り返し再利用することができる。【構成】少なくとも一方が透明フィルムからなる二枚のフィルム６、７間に、不消情報を有する側に透明フィルム６が配置されるように不消情報５を有する透明シート４が存在し、二枚のフィルム６、７は密着封入されており、かつこれらのフィルム周囲８１、８２が熱接着８されている。マイクロカプセル磁気表示シートＩの透明シート１の表面に不消情報が直接印刷されていてもよい。【選択図】　図１
0003099248.tif 000002
【実用新案登録請求の範囲】
【請求項１】
透明シート及びマイクロカプセル被覆層からなるマイクロカプセル磁気記録シートの該透明シートの表面に不消情報を有することを特徴とするマイクロカプセル磁気記録シート製品。
【請求項２】
前記不消情報が透明シートの表面に直接印刷されていることを特徴とする請求項１に記載のマイクロカプセル磁気記録シート製品。
【請求項３】
不消情報が印刷された別の透明シートが、前記マイクロカプセル被覆層上に有する透明シート上に存在することを特徴とする請求項１に記載のマイクロカプセル磁気記録シート製品。
【請求項４】
端部が固定された少なくとも一方が透明フィルムからなる二枚のフィルムであって、不消情報を有する側に前記透明シートが配置されるように、前記の二枚のフィルム間に挿入されていることを特徴とする請求項３に記載のマイクロカプセル磁気記録シート製品。
【請求項５】
少なくとも一方が透明フィルムからなる二枚のフィルム間に、不消情報を有する側に前記透明フィルムが配置されるように不消情報を有する透明シートが存在し、該二枚のフィルムは密着封入されており、かつこれらのフィルム周囲が熱接着されていることを特徴とする請求項３に記載のマイクロカプセル磁気記録シート製品。
【考案の詳細な説明】
【０００１】
【考案の属する技術分野】本考案は、マイクロカプセル磁気記録シート製品に関し、更に詳しくは人顔図を示しての美容に関する助言、人相、手相等の図を示しての見立て占い、人体部位解剖図を示しての解析等の説明、ゴルフのスイングのフォームチェック、引っ越し、運搬物の記録やチェック等に用いられるマイクロカプセル磁気記録シート製品に関する。
【０００２】
【従来の技術】従来、磁気ペンを用いて文字や絵を書くことができる磁気表示シートは知られており、更に具体的には、図７に示される如く、マイクロカプセル２１中に、分散媒２４、磁性粉２３及び着色顔料２２等を内包したマイクロカプセル磁気記録シートＩＩＩ（以下、単に磁気シートと称することもある。）が知られており、特に近年、マイクロカプセル磁気記録シートは、記録画像が鮮明のため広く用いられている。このマイクロカプセルを用いる磁気記録シートには、磁性粉として球状磁性粉を用いるものと偏平な磁性粉を用いるものとがある。これらのマイクロカプセル磁気記録シートは、いずれも磁気ペンを用いて文字や絵等を記録面に記録し、かつ消去することができ、しかもこれらを繰り返し行うことができる。近年、このようなマイクロカプセル磁気シートの用途は、記録の他ダイバー等のよる水中での使用があるが、さらなる用途開発が要望されている。
【０００３】
【考案が解決しようとする課題】このような中で、本考案者らは、美容の分野、人相、手相等における分野、学習並びにスポーツ訓練指導等の分野、運送業や運搬の分野等の各分野において、どのような使い方があるかを種々検討したところ、例えば、美容の分野では、アドバイザーが、人の顔が印刷された紙を使って、相手の化粧の濃淡の位置や眉毛の形状等を書き示しながら相手の最も望ましい化粧の仕方又は方法を説明することが行われているが、化粧の仕方の善し悪しを説明するために、しばしば何枚もの前述の如き印刷紙を使用することになる。これはコスト面からいって不経済であり、また近年の省資源化政策からいっても好ましいものではない。
【０００４】
同様に人相、手相等における分野、学習並びにスポーツ訓練指導等の分野等においても、美容の分野と同じような問題が起こる。更に運送業や運搬の分野等では、例えば、引越等においては、引越運搬業者が準備するダンボール箱等に直接、収納内容物の名称や転居先の置き場所などをかき込むことが行われているのが実状であるが、最近の省資源化の見直しで、再利用できるプラスチック等の収納箱を使用することが検討されるようになった。しかし、かかる収納物の場合には、当然ながら、運搬前後において作業者が、紙の場合は収納箱等へ貼り付け、また札等では取り付ける等して、引越し後の作業を容易にかつ効率的に行えるようにしなければならない。しかしながら、これらの作業においても、紙や札等の場合は使用枚数が多くなりコスト面からいって不経済であり、使用後は廃棄物となるばかりでなく省資源化政策にも反する結果となり好ましいものではない。
【０００５】
そこで、本考案者等は、紙等を使用することなく繰り返し使用できる説明用乃至表示用札等について種々検討したところ、紙にかえマイクロカプセル磁気記録シートを使用し、その上に不消情報を有する透明シートを重ねるか又はマイクロカプセル磁気記録シート上の透明シート表面に直接あるいは間接的に不消情報を設けることによって、例えば、不消情報として人の顔を印刷しておき、美容の分野では、新たに化粧の濃淡の位置や眉毛の形状等の補正情報を磁気ペンで書き込みながら説明することができ、また人相、手相等における分野、学習並びにスポーツ訓練指導等の分野等においても、同様に不消情報の上に説明すべき事項を磁気ペンで新たに書き込みながら又はチェックを入れながら解説することができる。更に運送業や運搬の分野等では、例えば、引越等においては、荷物の種類、場所、収納先や収納物等を印刷した磁気シートの該当項目に磁気ペンで印をつけ、あらかじめ収納箱に取り付けてある磁気シート収納袋等に納めて置くことによって、運搬後に作業者が、効率よく作業することができる。
【０００６】
以上のことからいって、これらの磁気シートを上記の構成にしたがって作製し、かつ使用することによって、使用後は、書き込みや印を消去して更に繰り返し再利用することができるので、経済的であり、また紙等を使用した場合のように多量の廃棄物となることなく省資源化政策上も好ましいことを見出し、ここに本考案をなすに至った。したがって、本考案が解決しようとする課題は、美容に関する説明、人相、手相等における説明図、人体部位の説明用解剖図、スポーツ技術の練習チェックやゴルフのスイングのチェック用フォーム模写図、引っ越しの内容のチェック項目、更にはＴＱＣなどに利用する異常原因の要因図やシンキングマトリックス図等、あらかじめ基本となる事項や事柄あるいは図又は共通して利用できる図柄などを不消情報として印刷したマイクロカプセル磁気記録シート製品であって、このようなマイクロカプセル磁気記録シート製品を使用することによって、使用後、磁気ペンで書き込まれた不要となった内容や印を消去し、更に繰り返し再利用することができ、経済的であり、また紙等を使用した場合のように多量の廃棄物となることなく省資源化政策上も好ましいマイクロカプセル磁気記録シート製品を提供することにある。
【０００７】
【課題を解決するための手段】本考案の上記課題は、以下の各考案によってそれぞれ達成される。
【０００８】
（１）透明シート及びマイクロカプセル被覆層からなるマイクロカプセル磁気記録シートの該透明シートの表面に不消情報を有することを特徴とするマイクロカプセル磁気記録シート製品。
（２）前記不消情報が透明シートの表面に直接印刷されていることを特徴とする前記第１項に記載のマイクロカプセル磁気記録シート製品。
（３）不消情報が印刷された別の透明シートが、前記マイクロカプセル被覆層上に有する透明シート上に存在することを特徴とする前記第１項に記載のマイクロカプセル磁気記録シート製品。
（４）端部が固定された少なくとも一方が透明フィルムからなる二枚のフィルムであって、不消情報を有する側に前記透明シートが配置されるように、前記の二枚のフィルム間に挿入されていることを特徴とする前記第３項に記載のマイクロカプセル磁気記録シート製品。
（５）少なくとも一方が透明フィルムからなる二枚のフィルム間に、不消情報を有する側に前記透明フィルムが配置されるように不消情報を有する透明シートが存在し、該二枚のフィルムは密着封入されており、かつこれらのフィルム周囲が熱接着されていることを特徴とする前記第３項に記載のマイクロカプセル磁気記録シート製品。
【０００９】
【考案の実施の形態】以下に、本考案の実施の形態を図面を用いて説明するが、本考案は、これに限定されるものではない。図１は、本考案のマイクロカプセル磁気記録シート製品を示す分解断面図である。図２は、図１のマイクロカプセル磁気記録シート製品を示す平面図である。図３は、本考案に用いられる不消情報を有する透明シートを示す平面図である。図４は、図２の磁気シート製品に書き込みを入れたところを示す平面図である。図１乃至図４において、本考案のマイクロカプセル磁気記録シート製品Ｉは、図６に示されるマイクロカプセル磁気記録シートＩＩＩを使用してなされたもので、透明シート１、マイクロカプセル被覆層２及び裏面層３をこの順に有する構成からなっている。この際、透明シートは透明であって、できるだけ薄い方がよく、またシート乃至フィルム状であれば、特にその形態にはこだわらない。本考案では、このマイクロカプセル磁気記録シートＩＩＩ上に不消情報５を有する透明シート（又はフィルム）４が重ねられた後、少なくとも不消情報５を有する側のシート６が透明である２枚のシート６、７の間に挿入し、その後、密着封入するか又は軽く圧着してフィルム間の空気を除去し、密着状態とし、更にこれらのフィルム６、７の周囲８１、８２は熱圧着されて熱圧着部８を形成している。このように形成することにより、封入された不消情報５を有する透明シート４を固定することができるばかりでなく磁気ペンによる書き込みに際し、表面に剛性を与え書き込み易い磁気シート製品が得られる。不消情報とは、ペン書きや印刷等によって設けられた可視情報が消去しようとしても実質的に消すことができない情報をいう意味に用いている。不消情報５としては、美容乃至化粧の分野における顔、体形等、人相、手相等の図柄、人体部位の説明用解剖図等、スポーツ技術練習用チェックやゴルフのスイングのチェック用フォーム模写図、引っ越しの内容のチェック項目、運搬物のチェック項目等、ＴＱＣなどに利用する異常原因の要因図やシンキングマトリックス図、表等、あらかじめ基本となる事項や事柄あるいは図表又は共通して利用できる図柄などをが挙げられ、これらは白黒でも着色していてもよい。
【００１０】
本考案において得られたマイクロカプセル磁気記録シート製品Ｉの使用の仕方は、特に限定されるものではないが、その一例として、美容の分野に利用した例を説明する。図１に示されるマイクロカプセル磁気記録シート製品Ｉは、図２に示される如き不消情報５として顔を有しており、例えば、来客が化粧品を買いに来たとき、この磁気シート製品Ｉの上に、その人に合った顔を印刷した透明シート４を重ねた後、二枚の透明フィｒム６、７の間に挟み、周囲を熱接着してから、この顔に後述するように化粧の仕方を説明する。即ち、図４に示される如く眉毛の形状５１、アイシャドウ５２の仕方、更には頬の部分５３の化粧の仕方等を説明するのに、実際に磁気ペンで眉毛の形状５１、アイシャドウ５２の仕方、頬の部分５３の化粧の仕方等を新たに書き込みながら説明することができ、しかもこの磁気シート製品Ｉを使用することにより何度でも磁気ペンで新たな情報を書いたり消したりして書き直すことができるので、紙を節約することができるばかりでなく、紙のように使用後、廃棄物となるようなことがなくマイクロカプセル磁気記録シートを使用し、磁気ペンにより新たに書き込むのであるから、不消情報をそのままにして書き込み、消去を繰り返し行うことができ、省資源として有望である。このマイクロカプセル磁気記録シートＩの裏面には、シート６、７として透明シートを用いることにより、該磁気シートの表面に不消情報５を有する透明シート４を重ね、裏面側に、例えば、宣伝用化粧品を印刷したカタログ等を重ねて密封し、上記の如き説明とそれに使用する化粧品の宣伝又は特定に役に立つという使用方法もある。本考案では、図１に示される如く構成することもできるが、他方、不消情報５を透明シート４に印刷したものを用いる代わりに図５に示される如く、マイクロカプセル磁気記録シートＩＩＩ（図７参照）の透明シートの表面に直接印刷した形態で使用することもできる。この場合にも、前述の如く美容の分野での使い方と同様に使用することができる。更に美容乃至化粧の分野と同様に、人相、手相等における説明図柄、人体部位の説明用解剖図等、スポーツ技術練習用チェックやゴルフのスイングのチェック用フォーム模写図、引っ越しの内容のチェック項目、運搬物のチェック項目等のチェック用等、ＴＱＣなどに利用する異常原因の要因図やシンキングマトリックス図、表等を印刷して使用することもできることはいうまでもない。なお、不消情報５が顔である場合、美容の分野では、来客者の顔が丸かったり、細長かったり、幅が広い人であったりと、人さまざまであるので、何種類かの顔を印刷しておき、その人に合った顔のシートを選択し、その場で２枚のシート６．７に挟んでマイクロカプセル磁気記録シート製品を得るようにするのが好ましい。これらのフィルム６、７のうち、少なくとも透明シート側のフィルムは透明フィルム又は透明シートからなっている。したがって、裏面側のフィルムは透明でも不透明でもよい。
【００１１】
ここで、本考案のマイクロカプセル磁気記録シート製品Ｉは、上記の各分野で使用されるが、特に、図５に示される如き形態、即ちマイクロカプセル磁気記録シートＩＩＩの透明シート表面に直接印刷して得られたものであってもよい。しかし、特に好ましい利用の仕方は、運送業や運搬の分野で好ましく用いられる名札乃至表示用シートとして用いる場合であり、例えば、図６に示されるような引越の時に付ける名札の場合が好ましい。図６は、所要事項を印刷した表が印刷された表面を有する磁気シート製品を示す平面図である。図６において、表の枠の中に横に収納設置場所、階数、個数、主な収納物などの欄を設け、また縦の収納設置場所には、玄関、キッチン、洗面所、リビング、浴室、ユーテリティ、ベランダ、和室（１）、和室（２）、洋室（１）、洋室（２）、洋室（３）、物置などの項目を設けておく。階数は記入可能に空欄とし、２階建の家では、１、２などを記入、個数は、家具、本箱などの収納物の数、更に主な収納物の欄には、例えば、玄関の場合には、下駄箱、傘立など、リビングの場合には、テレビ、本棚、サイドードなど、和室には、洋ダンス、和ダンス、整理ダンスなど、更に洋室には、テェスト、机、クローゼットなどを磁気ペンで記入する。一旦磁気ペンで書き込まれた文字は、消去磁石により消去しない限り消えないので、雨の日などにおいても安心して作業ができる。
【００１２】
【考案の効果】本考案によれば、透明シート及びマイクロカプセル被覆層からなるマイクロカプセル磁気記録シートの該透明シートの表面に不消情報を有することにより、美容に関する助言、人相、手相等における見立て占い、人体部位の解剖図などを示しての解析、ゴルフのスイングのフォームのチェック、引っ越しの内容をチェック等が分かり易く説明あるいは確認でき、これらの一連の説明、作業が終了した後は、磁気ペンで書き込まれた内容や印を消去して更に繰り返し再利用することができ、経済的であり、また紙等を使用した場合のように多量の廃棄物となることなく省資源化政策上も好ましいマイクロカプセル磁気記録シート製品が得られる。また不消情報が印刷された別の透明シートが、前記マイクロカプセル被覆層上に有する透明シート上に存在することにより、上記の効果が得られると共に、磁気ペンによる書き込みにおいて、不消情報を極めて鮮明に描くことができる。
【００１３】
更に本考案によれば、端部が固定された少なくとも一方が透明フィルムからなる二枚のフィルムであって、不消情報を有する側に前記透明シートが配置されるように、前記の二枚のフィルム間に挿入されていることにより、上記効果に加えて、剛性を有する表面が得られ、作業者が作業し易いものが得られる。更にまた本考案によれば、少なくとも一方が透明フィルムからなる二枚のフィルム間に、不消情報を有する側に前記透明フィルムが配置されるように不消情報を有する透明シートが存在し、該二枚のフィルムは密着封入されており、かつこれらのフィルム周囲が熱接着されていることにより、上記効果に加えて、二枚のフィルムと不消情報を有する透明シート及び磁気シートが一体化され、記録表面に剛性が得られ、極めて安定して使用し得るマイクロカプセル磁気記録シート製品が得られる。
【図面の簡単な説明】
【図１】本考案のマイクロカプセル磁気記録シート製品を示す分解断面図である。
【図２】図１のマイクロカプセル磁気記録シート製品を示す平面図である。
【図３】本考案に用いられる不消情報を有する透明シートを示す平面図である。
【図４】図２の磁気シート製品に書き込みを入れたところを示す平面図である。
【図５】図３の不消情報を有する透明シートに代えて直接印刷した本考案の別の実施の形態を示す断面図である。
【図６】本考案の引越等に使用される別の実施の形態を示す断面図である。
【図７】本考案に用いられるマイクロカプセル磁気記録シートを示す断面図である。
【符号の説明】
１　透明シート
２　マイクロカプセル被覆層
２１　マイクロカプセル
２２　顔料
２３　磁性粉
２４　分散媒
３　裏面層
４　透明フィルム
５　不消情報
５１、５２、５３　修正又は化粧個所
６、７　フィルム
８　熱圧着部
８１、８２　熱圧着用周囲
Ｉ、ＩＩ　マイクロカプセル磁気記録シート製品
ＩＩＩ　マイクロカプセル磁気記録シート
【図１】
0003099248.tif 000003
【図２】
0003099248.tif 000004
【図３】
0003099248.tif 000005
【図４】
0003099248.tif 000006
【図５】
0003099248.tif 000007
【図６】
0003099248.tif 000008
【図７】
0003099248.tif 000009